(57)【要約】 【課題】圧力損失の増加を抑制しつつ気流を拡散気流と直進気流に切替可能とする扇風機を提供する。  【解決手段】回転軸５を有するプロペラファン２と、プロペラファン２で発生させた気流の流れ方向を前方としたときに前方側を覆うと共に、回転軸５を中心とする内側部と外側部から成る二重構造を有する前面ガード８と、外側部にのみ前方に向けた気流の直進性を制御するための制御翼１２と、制御翼１２の機能のオン・オフを変更する切替部とを備えた扇風機を提供する。  【選択図】図２
2016023557.tif 000002
【特許請求の範囲】
【請求項１】
回転軸を有するプロペラファンと、
前記プロペラファンで発生させた気流の流れ方向を前方としたときに前方側を覆うと共に、前記回転軸を中心とする内側部と外側部から成る二重構造を有する前面ガードと、
前記外側部にのみ前記前方に向けた気流の直進性を制御するための制御翼と、
前記制御翼の機能のオン・オフを変更する切替部とを備えた扇風機。
【請求項２】
前記プロペラファンは、
回転中心に設けた円筒状のハブと、前記ハブの外周から放射状に延びた複数の羽根で構成し、
前記ハブの外周から前記羽根の外周端までの径方向距離をＤとしたとき、制御翼は、
前記ハブの外周を基点に外径側に向かって０．３Ｄより外側に設けた請求項１に記載の扇風機。
【請求項３】
前記制御翼は、
前後方向に所定の長さを有する板状とし、前記切替部は、
オン状態において前記制御翼の前後方向の長さをオフ状態より拡大し、
オフ状態において前記制御翼の前後方向の長さをオン状態より縮小する請求項１又は２に記載の扇風機。
【請求項４】
前記制御翼は、
回転軸を中心として放射状に配置した複数の固定翼と、前記固定翼と略同一形状の複数の可動翼とから成り、前記可動翼と前記固定翼が互いの平面を対向して配置し、前記切替部をオン状態にした際には、前記可動翼と前記固定翼の互いの平面が前後方向にずれた配置になるようにした請求項１から３のいずれか１項に記載の扇風機。
【発明の詳細な説明】
【技術分野】
【０００１】
本発明は、居室内の天井や壁、床面等に設置され、直接気流による体感温度の減少や室内の空気の循環に使用される扇風機に関するものである。
【背景技術】
【０００２】
従来の扇風機は、プロペラファンの形状として、例えば特許文献１に記載する構成が示されている。
【０００３】
以下、その構成について図９を参照しながら説明する。
【０００４】
図９は、従来の扇風機の構成を示す部分断面斜視図を示している。
【０００５】
図９に示すように、回転軸１０１と、プロペラファン１０２と、プロペラファン１０２を覆うガード１０３を有し、プロペラファン１０２とガード１０３の間にガード中央に設けた基部１０４から放射状に複数の静翼１０５を設けている。静翼１０５は平面を有する板状で、それぞれ半径方向に向かって角度調整軸１０６を有しており、静翼１０５は角度調整軸１０６を中心に角度を変更できるようになっている。
【０００６】
上記構成において、気流を直進的に制御する場合は静翼１０５の平面が回転軸１０１と平行になる角度にする。これにより、プロペラファン１０２から旋回しながら吹き出される気流を静翼１０４の平面に沿って回転軸１０１と平行に流れるようにして気流を直進的に制御している。また、気流を拡散方向に制御する場合は回転軸１０１に対して静翼１０５の平面を傾斜した角度にする。これにより、プロペラファン１０２から吹き出される気流を静翼１０５の平面に沿って回転軸１０１に対して傾斜させた方向に流すことで気流を拡散するように制御している。
【先行技術文献】
【特許文献】
【０００７】
【特許文献１】特開２０１０−０２４８８８号公報
【発明の概要】
【発明が解決しようとする課題】
【０００８】
扇風機に求められる気流として、夏は涼感を得ながら人を包み込むように広がるやわらかな気流（拡散気流）が求められ、冬は室内全体の空気をサーキュレーションするために遠方まで風が届く直進的な気流（直進気流）が求められている。
【０００９】
上記のニーズに対応するため、プロペラファンとガードの間に回転中心から放射状に複数の静翼を備えて気流を制御する従来の扇風機では、プロペラファンで発生させたほぼすべての気流を静翼で制御する。このため、気流が静翼に衝突することによって生じる圧力損失の増加が大きく、送風効率が低下するという課題がある。
【００１０】
そこで本発明は、上記従来の課題を解決するものであり、圧力損失の増加を抑制しつつ気流を拡散気流と直進気流に切替可能な扇風機を提供することを目的とする。
【課題を解決するための手段】
【００１１】
そして、本発明は、回転軸を有するプロペラファンと、前記プロペラファンで発生させた気流の流れ方向を前方としたときに前方側を覆うと共に、前記回転軸を中心とする内側部と外側部から成る二重構造を有する前面ガードと、前記外側部にのみ前記前方に向けた気流の直進性を制御するための制御翼と、前記制御翼の機能のオン・オフを変更する切替部とを備えた扇風機としており、これにより所期の目的を達成するものである。
【発明の効果】
【００１２】
本発明によれば、回転軸を有するプロペラファンと、前記プロペラファンで発生させた気流の流れ方向を前方としたときに前方側を覆うと共に、前記回転軸を中心とする内側部と外側部から成る二重構造を有する前面ガードと、前記外側部にのみ前記前方に向けた気流の直進性を制御するための制御翼と、前記制御翼の機能のオン・オフを変更する切替部とを備えた扇風機としている。これにより、拡散気流と直進気流を切替可能としつつ、プロペラファンで発生させた気流のうち、外側部を通過する気流のみを制御するため、圧力損失の増加を抑制でき、送風効率を向上させて省エネルギー化することができる。
【図面の簡単な説明】
【００１３】
【図１】本発明の実施の形態１の扇風機の構成を示す断面斜視図
【図２】本発明の実施の形態１の前面ガードの構成を示す部分断面図
【図３】（ａ）本発明の実施の形態１の制御翼の機能オフ時の構成を示す部分断面斜視図、（ｂ）本発明の実施の形態１の制御翼の機能オン時の構成を示す部分断面斜視図
【図４】（ａ）本発明の実施の形態１の切替部の機能オフ時の動作を示す部分断面図、（ｂ）本発明の実施の形態１の切替部の機能オン時の動作を示す部分断面図
【図５】本発明の実施の形態１のプロペラファンの羽根の形状を示す部分断面図
【図６】本発明の実施の形態１の１枚の羽根の形状を示す斜視図
【図７】（ａ）本発明の実施の形態１の羽根の断面Ｘにおけるベクトル線図、（ｂ）本発明の実施の形態１の羽根の断面Ｙにおけるベクトル線図
【図８】（ａ）本発明の実施の形態１の制御翼の機能オフ時の気流を示す斜視図、（ｂ  ）本発明の実施の形態１の制御翼の機能オン時の気流を示す斜視図
【図９】（ａ）従来技術の扇風機の構成を示す部分断面斜視図
【発明を実施するための形態】
【００１４】
本発明に係る扇風機は、回転軸を有するプロペラファンと、前記プロペラファンで発生させた気流の流れ方向を前方としたときに前方側を覆うと共に、前記回転軸を中心とする内側部と外側部から成る二重構造を有する前面ガードと、前記外側部にのみ前記前方に向けた気流の直進性を制御するための制御翼と、前記制御翼の機能のオン・オフを変更する切替部とを備えたものである。
【００１５】
これにより、プロペラファンで発生させた前方に向かう気流が前面ガードを通過する際、外側部を通過する気流にのみ制御する構成にしたため、内側部における不要な圧力損失の増加を抑制することができる。また、制御翼の機能をオン・オフする切替部により、使用者のニーズに合わせて拡散気流と直進気流を使い分けられることで利便性を向上させている。
【００１６】
また、本発明に係る扇風機は、前記プロペラファンは、回転中心に設けた円筒状のハブと、前記ハブの外周から放射状に延びた複数の羽根で構成し、前記ハブの外周から前記羽根の外周端までの径方向距離をＤとしたとき、制御翼は、前記ハブの外周を基点に外径側に向かって０．３Ｄより外側に設けてもよい。
【００１７】
これにより、プロペラファンの羽根の面積領域について、少なくともハブの外周から０．３Ｄの距離より内側の領域は、外径側よりも周速度が遅く、周囲の気流に影響を及ぼすような流速の速い旋回気流が生まれないため、直進性の制御をせず、圧力損失の増加を招かないようにしている。
【００１８】
また、本発明に係る扇風機は、前記制御翼は、前後方向に所定の長さを有する板状とし、前記切替部は、オン状態において前記制御翼の前後方向の長さをオフ状態より拡大し、オフ状態において前記制御翼の前後方向の長さをオン状態より縮小する構成としてもよい。
【００１９】
プロペラファンから吹き出す気流の進行方向を表すベクトル成分は、通常、回転軸を中心に旋回する旋回成分と、前方方向に向かう直進成分を有している。このため、上記の構成により、オン状態とした場合は制御翼の前後方向の長さを拡大させ、気流を制御翼に沿って流すことで旋回成分を小さくして直進成分が強い直進気流に制御することができる。つまり、オフ状態とした場合は制御翼の前後方向の長さを縮小し、気流を制御翼に沿った流れにしないことで旋回成分を小さくせず、気流が旋回しながら拡散していく拡散気流に制御することができ、容易な構成で直進性の制御のオン・オフを切替可能にしている。
【００２０】
以下、添付図面を参照して、本発明の実施の形態につき説明し、本発明の理解に供する。なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００２１】
（実施の形態１）
以下、本発明の実施の形態１について図１を参照しながら説明する。図１は、本発明の実施の形態１の扇風機の構造を示す断面斜視図である。
【００２２】
図１に示すように、扇風機本体１は、プロペラファン２と、プロペラファン２を覆うガード３と、プロペラファン２を回転させるモータ４を備えている。
【００２３】
プロペラファン２は、回転中心に回転軸５を有する円筒状のハブ６と、ハブ６の外周側から半径方向外側に突出した羽根７を複数備えている。
【００２４】
ガード３は、外周形状を円形としている。
【００２５】
また、ガード３は、気流を通過させつつ、プロペラファン２に物が接触しないように格子状を成している。
【００２６】
また、ガード３は、プロペラファン２の送風方向を前方としたとき、前方側を覆う前面ガード８と、背面側を覆う背面ガード９で構成している。したがって、前面ガード８は、プロペラファン２から吹き出された気流が接触して通過するようになっている。
【００２７】
次に、図２に前面ガード８の構成を示す部分断面図を示す。
【００２８】
図２に示すように、前面ガード８は、回転軸５を中心として内側部１０と外側部１１に分割された２重構造で構成している。
【００２９】
外側部１１は、通過する気流を直進方向に制御する制御翼１２を設け、その制御のオン・オフを切り替えられる機能を有している。
【００３０】
制御翼１２を有する外側部１１を設ける領域は、ハブ６の外周から羽根７の外周端までの径方向距離をＤとしたとき、ハブ６の外周を基点として０．３Ｄよりも半径方向外側の領域としている。このとき、外側部１１は羽根７の外周端よりも外側まで延長して設けても良い。
【００３１】
本実施例では、回転中心からハブ６の外周までの半径Ｒ１＝５０ｍｍ、羽根７の外周端までの半径Ｒ２＝１５０ｍｍなので、径方向距離Ｄ＝１００ｍｍとなっている。外側部１１を設ける０．３Ｄの位置はハブ６の外周から３０ｍｍとなるので、外側部１１は半径８０ｍｍよりも外側に設ければ良く、図示した外側部１１の半径Ｒ３は１００ｍｍ（０．５Ｄ）より外側に設けている。また、前面ガード８の外周までの半径Ｒ４＝１８０ｍｍとなっているので、外側部１１の外周は前面ガード８の外周と同じ、半径１８０ｍｍまで設けている。
【００３２】
次に、制御翼１２によって気流の直進性を制御する機能をオン・オフする機構の一例として、図３（ａ）に機能オフ時の制御翼１２の構成を示す部分断面斜視図、図３（ｂ）に機能オン時の制御翼１２の構成を示す部分断面図を示して説明する。
【００３３】
図３（ａ）に示すように、制御翼１２は、回転軸５を中心に放射状に複数配置した固定翼１３と、各々の固定翼１３に隣接して対を成すように複数配置した可動翼１４とを外側部１１に有している。
【００３４】
一対の固定翼１３と可動翼１４は、略同一形状で、前後方向に所定の長さ（一例として７ｍｍ）を有する板状で形成し、互いの平面が対向する向きに近接して配置している。
【００３５】
制御翼１２によって気流の直進性を制御する機能をオフにした場合は、図３（ａ）に示すように、固定翼１３と可動翼１４の前後方向の位置が揃った状態となる。そして、制御翼１２としての固定翼１３と可動翼１４を合わせた前後方向の長さは固定翼１３又は可動翼１４の一枚の長さ（７ｍｍ）とほぼ同一となるようにしている。
【００３６】
また、図３（ｂ）に示すように、気流の直進性を制御する機能をオンにした場合は、可動翼１４の位置を前方に（７ｍｍ）移動させ、固定翼１３に対して前方向にずれた配置となる。この場合、制御翼１２としての固定翼１３と可動翼１４を合わせた前後方向の長さは、固定翼１３と可動翼１４それぞれの長さを合算した長さ（１４ｍｍ）とほぼ同一となるようにしている。
【００３７】
また、制御翼１２の機能のオン・オフを切り替えるための切替部１５（一例としてスライドスイッチ機構）を前面ガード８の外周側面に設けている。
【００３８】
以下、切替部１５の詳細について図２及び図３（ａ）、（ｂ）を示して説明する。
【００３９】
図３（ａ）に示すように、固定翼１３は、内径側の端点をリング状に連接する中間固定リング１６と、固定翼１３の外径側の短点をリング状に連接する外周固定リング１７を有している。また、可動翼１４は、その内径側の端点をリング状に連接する中間可動リング１８と、外径側の端点をリング状に連接する外周可動リング１９を有している。中間可動リング１８は中間固定リング１６の半径方向外側に位置し、外周可動リング１９も外周固定リング１７の半径方向外側に配置するようにしている。
【００４０】
外周固定リング１７及び外周可動リング１９の更に外側にはスライドリング２０を設けている。
【００４１】
図２に示すように、スライドリング２０には外部から人が操作するためのツマミ部２１を設けている。
【００４２】
また、図３（ａ）に示すように、前面ガード８の外周側面は、外周固定リング１７及び外周可動リング１９に沿って周方向にスライド可能にする凸状の凸レール部２２を備えている。さらにスライドリング２０の周方向へのスライド動作に応じて可動翼１４の前後移動を連動させるための突起部２３を有している。
【００４３】
外周固定リング１７には凸レール部２２と噛み合う凹状の凹レール部２４を設け、スライドリング２０の前後方向の位置を規制しつつ、周方向へのスライドは可能にしている。
【００４４】
他方、外周可動リング１９には突起部２３と噛み合う溝部２５を設け、溝部２５はスライドリング２０のスライド方向に対して約１０°傾斜させている。
【００４５】
切替部１５は、中間固定リング１６と、外周固定リング１７と、中間可動リング１８と、外周可動リング１９と、スライドリング２０と、ツマミ部２１と、凸レール部２２と、突起部２３と、凹レール部２４と、溝部２５で構成している。
【００４６】
以下、切替部１５による機能オン・オフ動作について説明する。
【００４７】
図４（ａ）に切替部１５の機能オフ時の動作を示す部分断面図、図４（ｂ）に切替部１５の機能オン時の動作を示す部分断面図を示している。
【００４８】
図４（ａ）に示すように、機能オフ時は、スライドリング２０を円形のガード３の周方向に前面側から見て時計回りに回した状態である。この状態では、外周可動リング１９が後方に後退することで可動翼１４も後方に移動し、固定翼１３と可動翼１４を合わせた前後方向の長さは縮小している。
【００４９】
次に図４（ｂ）に示すように、機能オン時は、スライドリング２０を円形のガード３の周方向に前面側から見て反時計回りに回した状態である。この状態では、外周可動リング１９が前方に押し出されることで可動翼１４も前方に移動し、固定翼１３と可動翼１４を合わせた前後方向の長さが拡大している。
【００５０】
本実施例では、気流の直進性を高める制御として、制御翼１２の前後方向の長さを拡大する場合を機能オン時、制御翼１２の前後方向の長さを縮小する場合を機能オフ時としたが、オン・オフで動作する制御翼１２の長さの拡大・縮小を逆にしても良い。
【００５１】
次に、プロペラファン２から吹き出される気流について説明する。
【００５２】
図５にプロペラファン２の羽根７の形状を示す部分断面図、図６に一枚の羽根７の形状を示す斜視図を示している。
【００５３】
図５に示すように、プロペラファン２は、円形のガード３の周方向に前面側から見て時計回りに回転する。これにより、背面側から周囲の空気を吸い込み、前面側に向かって吹き出すようになっている。羽根７の形状は、回転軸５に垂直な平面に対して、流入口２６は背面側に、流出口２７は前面側となるように角度（取付角と呼ぶ）がついている。
【００５４】
また、図６に示すように、一例として羽根７の外周端側の半径Ｒｘ＝１４０ｍｍとし、半径Ｒｘにおける円筒断面をＸ、羽根７のハブ６側の半径Ｒｙ＝６０ｍｍの位置とし、半径Ｒｙにおける円筒断面をＹと設定する。このとき、本実施例の羽根７の取付角は、断面Ｘにおける取付角θｘに対し、断面Ｙにおける取付角θｙの方が角度が大きくなる、即ち、ひねり形状となっている。
【００５５】
プロペラファン２が回転した際に羽根７から吹き出す気流の向きについて、図７（ａ）に断面Ｘにおける速度ベクトル線図を示し、同じく、図７（ｂ）に断面Ｙにおける速度ベクトル線図を示す。
【００５６】
図７（ａ）に示すように、断面Ｘにおける流出口２７の速度ベクトルについて、羽根７の周速度をＵｘとする。また、羽根７から吹き出す気流の速度を回転する羽根７から見た相対速度をωｘとする。この場合、Ｕｘとωｘの合成ベクトルが静止した位置から見た気流の絶対速度Ｖｘとして示すことができる。
【００５７】
また、図７（ｂ）に示すように、断面Ｙにおける流出口２７の速度ベクトルについて、羽根７の周速度をＵｙ、羽根７から吹き出す気流の相対速度をωｙとすると、Ｕｙとωｙの合成ベクトルが気流の絶対速度Ｖｙとして示すことができる。
【００５８】
また、図７（ａ）（ｂ）における絶対速度Ｖｘ、Ｖｙについて、前方方向の成分と旋回方向の成分に分解したとき、前方方向の成分をそれぞれＶｘｆ、Ｖｙｆ、旋回方向の成分をＶｘｒ、Ｖｙｒで表す。
【００５９】
ＶｘとＶｙを比較すると、ベクトルの方向についてあまり違いはないものの、いずれのベクトルも旋回成分Ｖｘｒ、Ｖｙｒを有しており、旋回しながら前方に気流を吹き出している。また、注目すべきはベクトルの長さであり、Ｖｘの方がＶｙよりも長い。すなわち、Ｖｘの方が流速が速く、強い気流を吹き出していることが分かる。
【００６０】
本実施例ではプロペラファン２の回転数を１１００ｒｐｍで回転させた場合のＶｘは約６ｍ／ｓ、Ｖｙは約３ｍ／ｓと、概ね２倍の流速差がある。これは、羽根７の径方向距離が遠いほど周速度が速くなるため、ＵｘはＵｙよりもベクトル長さが長く、且つ周速度が速いために相対速度もωｘはωｙよりもベクトル長が長くなるためである。
【００６１】
ここで、羽根７の外周端側から吹き出すベクトルＶｘの気流を外側気流２８、羽根７のハブ６側から吹き出すベクトルＶｙの気流を内側気流２９と定義し、図４に示す。
【００６２】
以下、制御翼１２による直進性の制御の機能オン・オフ時の作用と、吹き出し後の気流の違いについて説明する。
【００６３】
図４（ａ）に示したように、スライドリング２０を時計回りにスライドして気流の直進性を制御する機能をオフにした場合は、外側部１１に設けた可動翼１４が後方に後退する。つまり、固定翼１３と可動翼１４の前後方向位置が合う位置関係となることで固定翼１３と可動翼１４を合わせた長さが縮小する点は上述したとおりである。長さが縮小し、即ち送風方向に短くなるため、旋回しながら流れ込む外側気流２８が制御翼１２の側面に沿って流れること無く通過していく。このため、旋回方向のベクトル成分Ｖｘｒを有したまま流れ、即ち、外側気流２８と共に旋回しながら進行する気流となる。
【００６４】
また、本実施例では外側気流２８は外側部１１を通過し、内側気流２９は内側部１０を通過するようになっている。このとき、内側気流２９についても旋回成分Ｖｙｒを有する気流であるため、外側気流２８と共に進行する気流となる。
【００６５】
次に、図８（ａ）に制御翼１２の機能オフ時の気流を示す側面図を示して説明する。
【００６６】
図８（ａ）に示すように、旋回成分を有する気流は、前方に進むにつれて気流が広がる拡散気流となる。このとき、気流を拡散させるのに強く作用するのは外側気流２８である。
【００６７】
その理由は、内側気流２９と比べて流速が速いこと、及び、内側気流２９はその周囲を外側気流２８で覆われているため、外側気流２８によって風向が規制されるためである。一方で外側気流２８は、その外周方向の周囲に流れ方向を規制するような気流が無く、且つ障害物も無い自由空間であるため、ベクトルＶｘの向きに応じて進行していくこととなる。
【００６８】
これにより、外側気流２８が旋回しながら拡散していくため、拡散気流が得られる。
【００６９】
このとき、外側気流２８、内側気流２９いずれも整流化しないため、圧力損失の上昇を抑制できるという効果がある。
【００７０】
次に、図４（ｂ）に示すように、スライドリング２０を反時計周りにスライドして気流の直進性を制御する機能をオンにした場合は、外側部１１に設けた可動翼１４が前方に移動する。これにより、固定翼１３との前後方向位置がずれることによって固定翼１３と可動翼１４を合わせた長さが拡大する。このため、旋回しながら流れ込む外側気流２８が固定翼１３と可動翼１４の側面に沿って流れ、整流化されることで旋回方向のベクトル成分Ｖｘｒが小さくなり、直進方向のベクトル成分Ｖｘｆが支配的となる。これにより、外側気流２８を直進的に流れる気流に制御することができる。内側気流２９は、内側部１０を通過する際に整流化しないため、旋回方向のベクトル成分Ｖｙｒを有したまま流れることとなる。
【００７１】
次に、図８（ｂ）に制御翼１２の機能オン時の気流を示す側面図を示して説明する。
【００７２】
外側気流２８は、制御翼１２によって直進的に制御された気流となっているため、まっすぐ前方に進行する気流となっている。一方、内側気流２９は、旋回方向のベクトル成分を有する流れとなっているが、前述の通り、気流そのものの流速が外側気流２８と比べて遅く、且つ、内側気流２９の周囲には流速の速い外側気流２８が存在する。そのため、内側気流２９は外側気流２８に引っ張られるように影響を受けて外側気流２８の進行方向と同一方向に流れていく。言い換えると、内側気流２９に対しては直進性を制御する必要は無いと言える。
【００７３】
外側気流２８が固定翼１３と可動翼１４によって整流化する際には気流の壁面衝突や乱流による圧力損失が上昇するが、内側気流２９については直進性を制御（整流化）しないため、圧力損失を極力発生させておらず、プロペラファン２から吹き出される気流全体としての圧力損失の上昇を抑制することができる。
【００７４】
これにより、実施の形態１に係る扇風機によれば、プロペラファン２からの吹出気流のうち、外側気流２８のみを前面ガード８の外側部１１に設けた制御翼１２によって直進気流と拡散気流に切り替える切替部１５を有することで、圧力損失の上昇を抑制でき、送風効率を向上させて省エネルギー化することができる。
【００７５】
また、実施の形態１では外側部１１をハブ６の外周から羽根７の外周端までの径方向距離をＤとしたとき、ハブ６の外周を基点として０．５Ｄの位置から外側に設けたが、０．３Ｄの位置から外側に設けても、その作用効果に大きな差は無い。しかし、０．３Ｄ以下の位置に設けると、気流の直進性を制御しない内側気流２９がプロペラファン２から吹き出される全体気流に占める割合が小さくなってしまうため、効果が得られにくい。
【００７６】
したがって、０．３Ｄよりも外側の範囲で適宜、羽根７の設計に応じて位置を設定することが望ましい。
【００７７】
また、本実施例では、制御翼１２となる固定翼１３と可動翼１４との前後方向の長さ及び形状をほぼ同一としたが、同一の作用効果を有していれば、形状や寸法はこの限りではなく、外観デザイン等に配慮した形状にするなど、適宜設計を変更しても良い。
【００７８】
更に、切替部１５について、本実施例では一例としてスライドスイッチ機構としたが、使用者が容易に可動翼１４を移動させることができれば良く、例えば切替部１５の機構として駆動モータとラックピニオン機構を組み合わせ、電力によるオン・オフ切替構造にしても良い。
【産業上の利用可能性】
【００７９】
本発明に係る扇風機は、気流を直進的にも拡散方向にも制御でき、且つ、省エネルギー性が高いため、扇風機以外にも室内の空気を循環させるためのサーキュレータとして有用である。
【符号の説明】
【００８０】
１      扇風機本体
２      プロペラファン
３      ガード
４      モータ
５      回転軸
６      ハブ
７      羽根
８      前面ガード
９      背面ガード
１０    内側部
１１    外側部
１２    制御翼
１３    固定翼
１４    可動翼
１５    切替部
１６    中間固定リング
１７    外周固定リング
１８    中間可動リング
１９    外周可動リング
２０    スライドリング
２１    ツマミ部
２２    凸レール部
２３    突起部
２４    凹レール部
２５    溝部
２６    流入口
２７    流出口
２８    外側気流
２９    内側気流
【図１】
2016023557.tif 000003
【図２】
2016023557.tif 000004
【図３】
2016023557.tif 000005
【図４】
2016023557.tif 000006
【図５】
2016023557.tif 000007
【図６】
2016023557.tif 000008
【図７】
2016023557.tif 000009
【図８】
2016023557.tif 000010
【図９】
2016023557.tif 000011